(57)【要約】【課題】外装シートの端部処理を容易にするとともに、筐体の気密化を同時に行うことができるスピーカ装置の筐体構造を提供する。【解決手段】両端に第１および第２の開口部を有する筒状の筐体本体と、筐体本体の外周壁面に貼り付けられる外装シートと、第１の開口部に嵌合する第１部材と、第２の開口部に嵌合する第２部材と、を備える。外装シートは、少なくとも第１および第２の開口部側の辺に折り代を有する。折り代は筐体本体の内側に折り曲げられている。第１部材は、外装シートの折り代を挟んで第１開口部に嵌合している。第２部材は、外装シートの折り代を挟んで第２開口部に嵌合している。【選択図】図４
2016025539.tif 000002
【特許請求の範囲】
【請求項１】
両端に第１開口部および第２開口部を有する筒状の筐体本体と、
該筐体本体の外周壁面に貼り付けられる外装シートと、
前記第１開口部に嵌合する第１部材と、
前記第２開口部に嵌合する第２部材と、
を備え、
前記外装シートは、前記第１開口部側の辺および第２開口部側の辺に折り代を有し、該折り代は前記筐体本体の内側に折り曲げられており、
前記第１部材および２部材は、前記外装シートの折り代を挟んで前記第１開口部および第２開口部に嵌合している
スピーカ装置の筐体構造。
【請求項２】
前記筐体本体は、前記外周壁面の一部に凹部を有し、
該凹部に嵌合するパネルボードをさらに備え、
前記外装シートは、前記凹部以外の前記筐体本体の外周壁面に貼り付けられるとともに、前記凹部側の辺に折り代を有し、該折り代は前記凹部の内側に折り曲げられており、
前記パネルボードは、前記外装シートの折り代を挟んで前記凹部に嵌合している
請求項１に記載のスピーカ装置の筐体構造。
【請求項３】
前記第１部材の前記筐体本体側周縁部、または、前記第２部材の前記筐体本体側周縁部に、前記筐体本体の内壁と協働して前記折り代を挟むリブを設けた請求項１または請求項２に記載のスピーカ装置の筐体構造。
【請求項４】
前記筐体本体は円筒形であり、前記第１部材は、スピーカユニットの取付枠であるバッフル板であり、第２部材は第２のスピーカユニットが取り付けられる第２の筐体である
請求項１乃至請求項３に記載のスピーカ装置の筐体構造。
【発明の詳細な説明】
【技術分野】
【０００１】
この発明は、スピーカ装置に関し、特にその外装処理に関する。
【背景技術】
【０００２】
スピーカ装置の外観の装飾性を高めるために、筐体の周囲に貼り付ける外装用の化粧シートなどが提案されている（たとえば特許文献１）。
【先行技術文献】
【特許文献】
【０００３】
【特許文献１】特開平０９−１５７６１２号公報
【発明の概要】
【発明が解決しようとする課題】
【０００４】
特許文献１のようなシート部材は、長期間経過すると、端部が剥がれることがあり、装飾性のある外観を維持するためには、端部処理が必要である。また、スピーカ装置の筐体は、音質を向上させるため内部が気密構造になっている必要がある。スピーカ装置の筐体は、複数の部材を組み合わせて構成されるものが多いが、このような構造の筐体の場合、各部材の接合部の気密性を確保する必要がある。
【０００５】
そこで、この発明は、外装シートの端部処理を容易にするとともに、筐体の気密化を同時に行うことができるスピーカ装置の筐体構造を提供することを目的とする。
【課題を解決するための手段】
【０００６】
本発明のスピーカ装置の筐体構造は、両端に第１および第２の開口部を有する筒状の筐体本体と、筐体本体の外周壁面に貼り付けられる外装シートと、第１の開口部に嵌合する第１部材と、第２の開口部に嵌合する第２部材と、を備える。外装シートは、少なくとも第１および第２の開口部側の辺に折り代を有する。折り代は筐体本体の内側に折り曲げられている。第１部材は、外装シートの折り代を挟んで第１開口部に嵌合している。第２部材は、外装シートの折り代を挟んで第２開口部に嵌合している。
【０００７】
上記発明において、筐体本体に、外周壁面の一部にパネルボードが嵌合する凹部を設けてもよい。外装シートは、凹部以外の筐体本体の外周壁面に貼り付けられる。外装シートは、凹部側の辺に折り代を有し、この折り代は凹部の内側に折り曲げられている。パネルボードは、外装シートの折り代を挟んで凹部に嵌合する。
【０００８】
上記発明において、第１部材の筐体本体側周縁部にリブを設けてもよい。また、第２部材の筐体本体側周縁部にリブを設けてもよい。リブは、筐体本体の内壁と協働して折り代を挟みこむ。
【０００９】
上記発明において、筐体本体を円筒形とし、第１部材をバッフル板、第２部材を第２の筐体としてもよい。
【発明の効果】
【００１０】
以上のように、この発明によれば、簡略な構造および組み立て工程で、外装シートの端部処理と筐体の気密化を実現することができる。
【図面の簡単な説明】
【００１１】
【図１】この発明の実施形態であるスピーカ装置の正面図、内部構造図および底面図
【図２】スピーカ装置の斜視図
【図３】スピーカ装置の分解斜視図
【図４】スピーカ装置の外装シートの貼り付け工程を説明する図
【図５】スピーカ装置の底面からの一部分解斜視図
【図６】外装シートの挟み込み部分を拡大した部分断面図
【図７】スピーカ装置の回路のブロック図
【発明を実施するための形態】
【００１２】
図面を参照してこの発明が適用されるスピーカについて説明する。図１は、この発明の実施形態であるスピーカ装置１の正面図、内部構造図および底面図である。図２は、スピーカ装置１の斜視図である。また、図３は、スピーカ装置１の分解斜視図である。
【００１３】
この実施形態のスピーカ装置１は、縦向きの略筒状の筐体（ｈｏｕｓｉｎｇ）１０を有し、この筐体１０の上面および下面に配置された２つのスピーカユニット１０１、１０２を有する。上面に設置されたスピーカユニット１０１が高音用スピーカであり、以下ツイーター１０１と呼ぶ。下面に設置されたスピーカユニット１０２が低音用スピーカであり、以下ウーファ１０２と呼ぶ。
【００１４】
筐体１０は、上部筐体１１、下部筐体１２および後述のバッフル板１４、１５などで構成される。下部筐体１２は、太径の短い筒状である。上部筐体１１は、下部筐体１２よりも小径で、下端にフランジ１１Ｃを有している。フランジ１１Ｃの外周は、下部筐体１２の内法とほぼ同径であり、このフランジ１１Ｃが下部筐体１２に嵌合し、後述の外装シート４４を挟み込んでビス４５により気密に接合される。下部筐体１２と上部筐体１１のフランジ１１Ｃとの接合については、後でさらに詳細に説明する。上部筐体１１の内部に、仕切板１１Ａが設けられており、仕切板１１Ａが筐体１１の内部空間を上下に分割する。また、上部筐体１１は、樹脂製で外周側面はホットスタンプ箔による鏡面仕上げ、または蒸着メッキによる鏡面仕上げが施されている。
【００１５】
上部筐体１１の上面にはツイーター用バッフル板１４が上向きに取り付けられている。このツイーター用バッフル板１４にツイーター１０１が上向きに取り付けられている。ツイーター用バッフル板１４および仕切板１１Ａで区切られた上部筐体１１の上側の空間でツイーター用キャビネット１１１が構成される。また、下部筐体１２の下面にはウーファ用バッフル板１５が下向きに取り付けられている。このウーファ用バッフル板１５にウーファ１０２が下向きに取り付けられている。ウーファ用バッフル板１５および仕切板１１Ａで区切られた上部筐体１１の下側の空間および下部筐体１２でウーファ用キャビネット１１２が構成される。
【００１６】
下部筐体１２の側面には操作パネル４０が設けられている。操作パネル４０は、下部筐体１２の側面に形成された凹部であるスイッチボックス１３と、スイッチボックス１３の表面に嵌めこまれたパネルボード４０Ａを有している。操作パネル４０には、このスピーカ装置１の電源をオン／オフする電源スイッチなどの複数のスイッチ４１、外部電源を接続するためのＤＣジャック４２、アナログオーディオ信号を入力するオーディオジャック４３等が設けられている。スイッチ４１、ＤＣジャック４２、オーディオジャック４３は、スイッチボックス１３内に設けられ、パネルボード４０Ａの開口から外部に露出している。操作パネル４０のパネルボード４０Ａは樹脂製である。下部筐体１２の操作パネル４０以外の外周側面は合成皮革の外装シート４４で外装されている。
【００１７】
図４（Ａ）、（Ｂ）、（Ｃ）は、外装シート４４の貼り付け工程を説明する図である。図５は、下部筐体１２の底面からの分解斜視図である。図６（Ａ）、（Ｂ）は、外装シート４４の挟み込み部分を拡大した部分断面図である。
【００１８】
図５において、下部筐体１２の側面には、操作パネル４０が設けられるとともに、操作パネル４０以外の場所（外装面）１２ａには外装シート４４が貼り付けられている。図４（Ａ）に示すように、外装シート４４は、下部筐体１２の外装面１２Ａよりも一回り大きく作られており、上側に折り代４４１、下側に折り代４４２、および、左右に折り代４４３が形成されている。
【００１９】
外装シート４４は、図４（Ｂ），（Ｃ）に示すように、下部筐体１２の外装面１２Ａ巻きつけるように貼り付けられる。貼り付けには両面テープ（不図示）が用いられる。そして、上側の折り代４４１は、下部筐体１２の上辺で筐体の内側に折りこまれる。下側の折り代４４２は、下部筐体１２の下辺で筐体の内側に折りこまれる。また、左右の折り代４４３は、下部筐体１２側面の外装面１２Ａの境界でスイッチボックス１３内に折りこまれる。外装シート４４を下部筐体１２に巻きつけたのち上下の折り代４４１、４４２を筐体内側に折り込みやすいように、上下の折り代４４１、４４２には、切り込み４４１Ａ、４４２Ａが設けられている。
【００２０】
図４（Ｃ）の状態で上辺に上部筐体１１が係合され、下辺にウーファ用バッフル板１５が係合される。図３に示すように、上部筐体１１（フランジ１１Ｃ）は、ビス４５により下部筐体１２に固定される。また、図６（Ａ）に示すように、フランジ１１Ｃの下面には周状にリブ１１Ｄが形成されている。折り代４４１は、下部筐体１２の内壁面とリブ１１Ｄとの間に挟まれて固定される。これにより、上部筐体１１と下部筐体１２との隙間が詰められ、気密化される。なお、外装シート４４の折り代がないスイッチボックス１３の上面にはシール材（不図示）がはめ込まれて気密性が維持される。
【００２１】
また、図５に示すように、ウーファ用バッフル板１５は、ビス４６により、ウーファ１０２とともに下部筐体１２に固定される。図６（Ｂ）に示すように、ウーファ用バッフル板１５の裏面には周状にリブ１５Ｂが形成されている。折り代４４２は、下部筐体１２の内壁面とリブ１５Ｂとの間に挟まれて固定される。また、これにより、下部筐体１２とウーファ用バッフル板１５との隙間が詰められ気密化される。なお、外装シート４４の折り代がないスイッチボックス１３の下面にはシール材（不図示）がはめ込まれて気密性が維持される。
【００２２】
また、スイッチボックス１３内に折り込まれた左右の折り代４４３は、下部筐体１２のスイッチボックス１３の壁面とパネルボード４０Ａとの間に挟まれて固定される。なお、パネルボード４０Ａは、スイッチボックス１３に対してビス止めなどで固定される。
【００２３】
また、以上の構造により、合成皮革である外装シート４４の端部が装置内部に折り込まれて表面に露出することなくなり、簡略に美しく端部処理をすることができる。
【００２４】
上部筐体１１のウーファ用キャビネット１１２側の側面にはバスレフポート１６が開設されている。バスレフポート１６には、ウーファ用キャビネット１１２の内部に向けてバスレフダクト１７が接続されている。バスレフダクト１７は、ウーファ用キャビネット１１２内部で下向きに屈曲し、低い周波数に共振するための長さを得ている。
【００２５】
上部筐体１１は、上面および側面をカバー２０で覆われている。カバー２０は、パンチメッシュの金属製薄板からなる。パンチメッシュであるため、音や光は、カバー２０をほぼ通過するが、その一部は反射してカバー２０の内部で拡散する。カバー２０は、側面と上面を有し、伏せたタンブラー状の形状をしている。カバー２０の外径は、下部筐体１２とほぼ同じである。したがって、カバー２０が被せられたスピーカ装置１は、全体としてほぼ筒状の外観となっている。
【００２６】
カバー２０の上面内側にディフューザ２２が設けられている。ディフューザ２２は、下向きの略円錐形をしており、ツイーター１０１から放音された高音の音声を全方向に反射させる。また、ディフューザ２２は、樹脂製で表面はホットスタンプ箔による蒸着メッキ鏡面仕上げが施されている。これにより、音声のみならず光も全方向に反射する。
【００２７】
ウーファ用バッフル板１５は、下方向に所定高さのポール状に突設された３本のビス穴１５Ａを有している。このビス穴１５Ａに平頭ビス３０がディフューザ２３の裏面から螺合する。ビス３０およびビス穴１５Ａの高さにより、ディフューザ２３がウーファ１０２から所定の距離だけ離され設けられる。ディフューザ２３は、上向きの略円錐形をしており、ウーファ１０２から放音された中低音を全方向に反射若しくは回折させる。
【００２８】
スピーカ装置１は、図１に示すように、ディフューザ２３をベースとして縦向きに設置される。すなわち、ディフューザ２３は、スピーカ装置１のベースを兼ねている。このため、その底面にリング状にクッション材３１が貼付されている。これより、脚を別途設ける必要がなく構造を簡略化でき、設置面積を小さくすることもできる。
【００２９】
ディフューザ２３の外周とウーファ用バッフル板１５の外周との間に、カバー３２が設けられている。カバー３２は、パンチメッシュの金属製薄板からなっており、ウーファ１０２から放音された音声を通過させるが、スピーカ装置１が、テーブル等に設置されたとき、ユーザの指や異物が侵入するのを防止している。
【００３０】
ツイーター用バッフル板１４上に乳白樹脂からなる拡散リング２７が設けられている。拡散リング２７は、ツイーター１０１に被らないようにツイーター用バッフル板１４を覆うようにリング状に形成されている。拡散リング２６の下方、ツイーター用バッフル板１４の周縁部に導光リング２６および発光ダイオード（以下、ＬＥＤと呼ぶ）２５が設けられている。ＬＥＤ２５は、バッフル板１４の周縁部２箇所に上向きに設けられている。導光リング２６は、ＬＥＤ２５の上方に被せるように設けられており、点発光のＬＥＤ２５の光をリング全周に伝搬させ面発光の効果を得ている。導光リング２６のＬＥＤ２５に対向する位置には、ＬＥＤ２５の光を導入するための突出部（不図示）が形成されている。ＬＥＤ２５が点灯すると、突出部を介して導光リング２６に光が導入され、導光リング２６全周に光が伝搬して明るくなる。導光リング２６のこの光は拡散リング２７にも到達し、拡散リング２７全体が発光しているように明るくなる。また、ディフューザ２２がカバー２０の上面に設けられているため、光が直接上に抜けず、天井を照らしてしまうようなことがない。
【００３１】
また、上部筐体１１の外周下端部にはフランジ１１Ｃに接するように腰巻き状の導光リング２９が設けられている。下部筐体１２の上端周縁部の２箇所にＬＥＤ２８が設けられている。フランジ１１ＣのＬＥＤ２８に対向する位置には小孔が開設され、ＬＥＤ２８の光が導光リング２９に導入されるようになっている。ＬＥＤ２８が点灯すると、小孔を介して導光リング２９に光が導入され、導光リング２９全体が発光しているように明るくなる。
【００３２】
図７は、スピーカ装置１の電気回路のブロック図である。スピーカ装置１は、オーディオ信号を入力する回路として、Ｂｌｕｅｔｏｏｔｈ（登録商標）通信部５２、および、アナログ入力部５３を有している。アナログ入力部５３は、図１に示したオーディオジャック４３を含む。Ｂｌｕｅｔｏｏｔｈ（登録商標）通信部５２またはアナログ入力部５３から入力されたオーディオ信号は、信号処理部５１に入力される。信号処理部５１は、入力されたオーディオ信号に対してイコライズ等の処理を行うとともに、オーディオ信号を高音域成分および中低音域成分に分離する。分離された高音域成分の信号は増幅回路５４に入力される。中低音域成分の信号は増幅回路５５に入力される。増幅回路５４はツイーター１０１を駆動する増幅回路であり、高音域に適した調整がされている。また、増幅回路５５はウーファ１０２を駆動する増幅回路であり、中低音域に適した調整がされている。増幅回路５４は、増幅した高音域のオーディオ信号をツイーター１０１に入力する。ツイーター１０１はこの信号を音響として放音する。増幅回路５５は、増幅した中低音域のオーディオ信号をウーファ１０２に入力する。ウーファ１０２はこの信号を音響として放音する。
【００３３】
Ｂｌｕｅｔｏｏｔｈ通信部５２のペアリング動作、信号処理部５１のイコライズ動作、増幅回路５４，５５のゲインなどは制御部５０が制御する。制御部５０はマイコンで構成されている。制御部５０には、さらに操作部５６および点灯回路５７が接続されている。操作部５６は、操作パネル４０に設けられている各種スイッチ群４１を含み、ユーザによる電源のオン／オフ、ボリウム調整、オーディオ入力の選択等の操作を受け付ける。点灯回路５７は、ＬＥＤ２５，２８を点灯する回路である。制御部５０は、電源がオンされると、オーディオ回路に電源を供給するとともに、点灯回路５７にも電源を供給する。点灯回路５７は、ＬＥＤ２５，２８を点灯させる。なお、このスピーカ装置１は、図示しないバッテリを内蔵しており、このバッテリまたはＤＣジャック４２から供給される外部電源で動作する。
【００３４】
なお、スピーカ装置１は、以上説明した形状に限定されない。本願発明の趣旨を損なわない範囲で変形は自由である。たとえば、下部筐体１２は、円筒形でなくてもよい。また、下部筐体１２（筐体本体）の上に嵌合する部材は、上部筐体１１でなくてもよい。たとえば、直接ツイーター用バッフル板が嵌合してもよい。
【符号の説明】
【００３５】
１０  筐体
１１  上部筐体（第２部材）
１１Ｃ  フランジ
１１Ｄ  リブ
１２  下部筐体（筐体本体）
１５  ウーファ用バッフル板（第１部材）
１５Ｂ  リブ
４４  外装シート
４４１、４４２、４４３  折り代
１０１  ツイーター（第２のスピーカユニット）
１０２  ウーファ
【図１】
2016025539.tif 000003
【図２】
2016025539.tif 000004
【図３】
2016025539.tif 000005
【図４】
2016025539.tif 000006
【図５】
2016025539.tif 000007
【図６】
2016025539.tif 000008
【図７】
2016025539.tif 000009